(57)【要約】【課題】  通常縫い時には縫製布の厚さ等の変化にかかわらず、常に適正な糸調子を保ち所定の千鳥縫い目を確実に形成できるものでありながら、糸端処理時における針糸の持ち出し量を安定化し品質低下や針糸ロスの少ない適正な糸端処理を行なえるようにする。【解決手段】  縫製後に針から垂れ下がった針糸端部分を掴んで側方に移動させるワイパー及びの針糸端部分を縫製布の上面近くで切断する針糸切りメスとを備えている千鳥縫いミシンにおいて、針８への針糸供給経路中に、回転ディスク式の針糸調子器１４と、針糸１３の繰り出しに対して張力を予め付与するプリテンション機構１５と、このプリテンション機構１５より針糸供給方向の上手側の針糸１３を弾性保持可能な補助針糸保持機構１６とが設けられているとともに、プリテンション機構１５と補助針糸保持機構１６とを選択的に作用状態に切り替える作用切替機構２６が設けられている。【選択図】    図３
2005192688.tif 000002
【特許請求の範囲】
【請求項１】
ミシン主軸の回転に同期して回転する天秤機構、布送り機構、針振り機構を備えて千鳥縫い目を形成するように構成されているとともに、針への針糸供給経路途中の針糸を外周面部に少なくとも一回転分以上巻付け保持可能なディスクとこのディスクの回転に摩擦トルクを与えるばねとを有し、縫製動作に連係した針糸供給に伴うディスクの回転により針糸に所定の張力を付与して繰り出し可能な針糸調子器と、この針糸調子器よりも針糸供給方向の上手側に設けられて針糸に前記針糸調子器での繰り出しにスリップが生じない張力を予め付与するプリテンション機構と、縫い終わり時に針から下がっている針糸の端部分を掴み、その掴んだ針糸の端部分を縫製部側方へ移動させる針糸掴み具と、この針糸掴み具により掴まれて縫製部側方へ移動される針糸端部分を被縫製布の上面近くで切断する糸切りメスと、が備えられている千鳥縫いミシンの糸端処理装置において、
前記プリテンション機構よりも針糸供給方向の上手側に、針糸供給経路中の針糸を弾性保持可能な補助針糸保持機構が設けられているとともに、この補助針糸保持機構による針糸の弾性保持を解除する一方、前記プリテンション機構により針糸に予張力を付与する通常縫い作用状態と、前記プリテンション機構による予張力付与を解除する一方、前記補助針糸保持機構により針糸を弾性保持する針糸端部の作用状態とに切替可能な作用切替機構が設けられていることを特徴とする千鳥縫いミシンの糸端処理装置。
【請求項２】
前記プリテンション機構による針糸に対する付与予張力及び前記補助針糸保持機構による針糸に対する弾性保持力がそれぞれ調節可能に構成されている請求項１に記載の千鳥縫いミシンの糸端処理装置。
【請求項３】
前記補助針糸保持機構及びこの補助針糸保持機構とプリテンション機構との作用状態を切替える作用切替機構が、前記プリテンション機構をミシンフレームに取付けるための糸道台に一体的に装着されている請求項１または２に記載の千鳥縫いミシンの糸端処理装置。
【請求項４】
前記針糸切りメスは、布押えの針落ち溝に交差させて布押えに固定されている請求項１ないし３のいずれかに記載の千鳥縫いミシンの糸端処理装置。
【発明の詳細な説明】
【技術分野】
【０００１】  本発明は、千鳥縫いミシンの糸端処理装置に関する。詳しくは、千鳥縫いミシンによる千鳥縫い目の縫い終わり時に針の上昇に伴い縫製布の下方で切断された後、針から下がっている針糸の端部分を針糸掴み具によって掴んで縫製部の側方へ移動させ、その側方へ移動される針糸を次の縫製布の縫い始め時にその縫製布の上面近くでメスにより切断処理するように構成されている千鳥縫いミシンの糸端処理装置に関するものである。
【背景技術】
【０００２】  千鳥縫いミシンにおいて、縫い終わり時に針から下がっている針糸をそのまま放置して次の縫製布の縫いを開始すると、その下がっている針糸の端部分が針の下降移動によって縫製布の下側に引き込まれ、数針分の縫いが進行する間に縫い目に絡んで、その針糸端部分が千鳥縫い目にもつれ合って、いわゆる、鳥の巣状と称される品質の悪い縫い目が発生する。このような縫い始め時の縫い目の品質低下を防止するために、縫い終わり時に針から下がっている針糸の端部分を掴んで側方へ移動させる針糸掴み具及び次の縫製布に対する縫い始め時の数針分の縫い進行に伴い側方へ掴み移動された針糸を縫製布の上面近くで切断する針糸切りメスからなる糸端処理装置を備えた千鳥縫いミシンが従来より知られている（例えば、特許文献１参照）。【０００３】  また、千鳥縫いミシンにおいては、通常縫い時に糸巻きから針への針糸供給を適正かつ円滑に保つための糸調子として、針糸供給経路途中の針糸を外周面部に少なくとも一回転分以上巻付け保持可能なディスクとこのディスクの回転に摩擦トルクを与えるばねとを有し、縫製動作に連係した針糸供給に伴うディスクの回転により針糸に所定の張力を付与して繰り出し可能な針糸調子器と、この針糸調子器よりも針糸供給方向の上手側に設けられて針糸に針糸調子器での繰り出しに対して張力を予め付与するプリテンション機構とを備えているのが一般的である（例えば、特許文献２参照）。【０００４】
【特許文献１】  実公平５−３２０６７号公報
【特許文献２】  特開平１０−２１１３８０号公報
【発明の開示】
【発明が解決しようとする課題】
【０００５】  上記した各従来技術からも明らかなとおり、千鳥縫いミシンにおいて、一つの縫製布の縫い終わり時に縫製布の下方で切断された後、針から下がっている針糸の端部が針糸掴み具により掴まれて縫製部の側方へ移動され、次の縫製布の縫い始め時にその縫製布の上面近くで針糸メスにより切断する糸端処理時における針糸の繰り出し制御に、通常縫い時の糸調子として備えられている前記の針糸調子器及びプリテンション機構をそのまま使用しているのが通例であり、この場合、次のような問題が発生していた。【０００６】  すなわち、プリテンション機構は通常縫い時に針糸調子器のディスクが回転しなくなるスリップ現象がないように針糸に予張力を付与するためのものであり、通常縫い時に縫製布の厚さや布組織の柔軟性等に応じて針糸調子器による張力を調節したときは、その調節に対応して予張力も調節され、これによって、縫製布の厚さや布組織の柔軟性等の変化にかかわらず、通常縫い時の糸調子を適正に保つように構成されている。【０００７】  このように従来のプリテンション機構は、通常縫い時の糸調子を適正に保つことを主眼にして、その予張力を一定範囲内で調節（設定）可能とされているものであるから、このプリテンション機構をそのまま糸端処理時における針糸の繰り出し制御に用いると、針糸掴み具の側方への移動に伴う針糸の持ち出し量が安定しない場合があった。つまり、通常縫い時の糸調子を考慮して設定されたプリテンション機構の予張力が強い場合は、糸端処理のために針糸掴み具が針糸の端部分を掴んで側方へ移動したとき、針糸掴み具から針糸が抜けてしまって所定量の針糸端部分を側方へ引き出すことができず、その結果、針糸の端部分が次の縫製布と布押えの間に残されたままとなり、次の縫製布の縫い始め部分に鳥の巣状の低品質縫い目が形成されてしまうという問題があり、逆に、プリテンション機構の予張力が弱い場合は、糸端処理のための針糸掴み具の側方への移動に伴って針糸が過剰に繰り出されてしまい、その結果、切断される針糸長さが長くなり、それだけ針糸ロスが多くなるという問題があった。【０００８】  本発明は上述の実情に鑑みてなされたもので、通常縫い時には、縫製布の厚さや布組織の柔軟性等の変化にかかわらず、常に適正な糸調子を保って所定の千鳥縫い目を確実に形成することができるものでありながら、糸端処理時における針糸の持ち出し量を安定化して鳥の巣状の低品質縫い目を発生せず、また、針糸ロスも少ない適正な糸端処理を行なうことができる千鳥縫いミシンの糸端処理装置を提供することを目的としている。
【課題を解決するための手段】
【０００９】  上記目的を達成するために、本発明に係る千鳥縫いミシンの糸端処理装置は、ミシン主軸の回転に同期して回転する天秤機構、布送り機構、針擬り機構を備えて千鳥縫い目を形成するように構成されているとともに、針への針糸供給経路途中の針糸を外周面部に少なくとも一回転分以上巻付け保持可能なディスクとこのディスクの回転に摩擦トルクを与えるばねとを有し、縫製動作に連係した針糸供給に伴うディスクの回転により針糸に所定の張力を付与して繰り出し可能な針糸調子器と、この針糸調子器よりも針糸供給方向の上手側に設けられて針糸に前記針糸調子器での繰り出しに対して張力を予め付与するプリテンション機構と、縫い終わり時に針から下がっている針糸の端部分を掴み、その掴んだ針糸の端部分を縫製部側方へ移動させる針糸掴み具と、この針糸掴み具により掴まれて縫製部側方へ移動される針糸を被縫製布の上面近くで切断する針糸切りメスと、が備えられている千鳥縫いミシンの糸端処理装置において、前記プリテンション機構よりも針糸供給方向の上手側に、針糸供給経路中の針糸を弾性保持可能な補助針糸保持機構が設けられているとともに、この補助針糸保持機構による針糸の弾性保持を解除する一方、前記プリテンション機構により針糸に予張力を付与する通常縫い作用状態と前記プリテンション機構による予張力付与を解除する一方、前記補助針糸保持機構により針糸を弾性保持する針糸端部処理の作用状態とに切替可能な作用切替機構が設けられていることを特徴とするものである。
【発明の効果】
【００１０】  上記のごとき構成を有する本発明に係る千鳥縫いミシンの糸端処理装置によれば、通常縫い時には、作用切替機構を通常縫いの作用状態に切り替えて縫製布の厚さや布組織の柔軟性等に対応して針糸調子器による針糸の張力を調節し、それに応じてプリテンション機構による予張力も調節して用いることによって、常に適正な糸調子を保って縫製布の厚さや布組織の柔軟性等の変化にかかわらず、所定の千鳥縫い目を確実、良好に形成することができる。それでいて、一つの縫製布に対する縫いが終了した後の針糸掴み具による針糸掴み動作時には、作用切替機構を針糸端部処理の作用状態に切り替えてプリテンション機構による予張力付与を解除する一方、補助針糸保持機構により針糸を弾性保持させることによって、針糸供給経路中の針糸を糸端処理に適した針糸保持力に変更して糸端処理時における針糸の持ち出し量を安定化することができる。これによって、針糸端部分が針糸掴み具から抜け出して次の縫製布と布押えの間に残って鳥の巣状の品質の悪い縫い目を形成したり、針糸が過剰に繰り出されて切断される針糸長さが非常に長くなって、捨棄される針糸ロスが多くなったりすることを防ぎ、通常縫い時における糸調子に関係なく、常に適正な糸端処理を確実に行なうことができるという効果を奏する。【００１１】  本発明に係る千鳥縫いミシンの糸端処理装置において、請求項２に記載のように、プリテンション機構による針糸に対する付与予張力及び補助針糸保持機構による針糸に対する弾性保持力をそれぞれ調節可能に構成することによって、通常縫い時における糸調子の調節範囲及び糸端処理時における針糸保持力の調整範囲をそれぞれ十分に広くとることが可能となり、厚さや組織の柔軟性等が異なる幅広い縫製布に対しても常に適正な千鳥縫い及び糸端処理を行なうことができる。【００１２】  また、本発明に係る千鳥縫いミシンの糸端処理装置において、補助針糸保持機構とプリテンション機構とはそれぞれ独立的にミシンアームに装着してもよいが、請求項３に記載のように、前記補助針糸保持機構及びこの補助針糸保持機構とプリテンション機構との作用状態を切替える作用切替機構を、前記プリテンション機構をミシンアームに取付けるための糸道台に一体的に装着することが望ましい。この場合は、プリテンション機構を取付けるために従来の千鳥縫いミシンに設けられている既存の取付け部をそのまま利用して補助針糸保持機構及び作用切替機構をミシンアームに取付けることができ、ミシンアームの改造を不要にできるばかりでなく、針糸の流れ経路（供給経路）も余り変化させないですみ、針糸の供給作用を常に円滑に保ちつつ、上述のような効果を奏することができる。【００１３】  また、前記針糸切りメスは、縫製布の上面近くの位置に設けられていればよいが、請求項４に記載のように、布押えの針落ち溝に交差させて、特に、布押えの下面に固定する場合は、縫製品質の低下原因となる針糸端部分を残さず短く切断処理することができる。
【発明を実施するための最良の形態】
【００１４】  以下、本発明の実施の形態を図面に基づいて説明する。
図１は本発明に係る千鳥縫いミシン全体を示す外観斜視図、図２はその要部の拡大斜視図あり、この千鳥縫いミシン１は、ミシンアーム２に内装されている主軸（図示省略する）の回転に同期して回転する回転円板３とこの回転円板３に固定された天秤４とからなる天秤機構５がミシンアーム２の前面部に形成された開閉ガード６付きの凹状開口部２Ａ内に設けられているとともに、前記主軸にクランク機構（図示省略する）を介して連係された針棒７の下端部には針８が取付けられ、かつ、押え棒９の下端部には布押え１０が取付けられている。また、前記ミシンアーム２内には、千鳥縫い目を形成するための針振り機構が設けられ、かつ、ミシンベッド１１上に設けられた針板１２の下部には、糸切り装置、布送り機構、釜機構等が配設されているが、これらは周知であるため、それらの具体的な構造の図示及び説明は省略する。なお、図１中の３０は下糸巻き装置、３１は下糸巻きプリテンション機構である。【００１５】  前記ミシンアーム２の先端下部には、このミシンアーム２に固定の針糸掴み台２８に支承された針糸掴み軸２９の周りで図外のエアシリンダを介して揺動駆動可能に構成され縫い終わり時に針８の上昇に伴い前記糸切り装置により縫製布の下方で切断された後、針８から下がっている針糸１３の端部分を引っ掛け、その引っ掛けた針糸端部分を縫製部（針板１２）の側方へ移動させる針糸掴み具（以下、ワイパーと称する）２１とこのワイパー２１に引っ掛けられて側方へ移動された針糸端部分を該ワイパー２１との間に挟んで保持する補助針糸掴み２７が設けられている。また、前記布押え１０の下面には次の縫製布の縫い始め時に前記ワイパー２１によって掴まれて側方に移動されている針糸端部分１３ａをその縫製布の上面近くで切断する針糸切りメス２２が布押え１０の針落ち溝１０ａに交差させて固定されている。【００１６】  一方、前記ミシンアーム２の側部には、図外の糸巻きから定置糸案内１７，１８及び前記天秤機構５の天秤４を経て針８に至る針糸供給経路中の針糸１３の繰り出しを制御するための糸調子として、図３に明示するように、回転式の針糸調子器１４とこの針糸調子器１４よりも針糸供給方向の上手側において前記回転式針糸調子器１４での繰り出しに対して張力を予め付与するプリテンション機構１５並びにこのプリテンション機構１５よりも針糸供給方向の上手側において後述する針糸端部分の掴み移動及び切断処理時に針糸１３を弾性保持可能な補助針糸保持機構１６とが配設されている。【００１７】  前記回転式針糸調子器１４は、その外周面部に針糸１３を一回転分以上巻付け保持可能な回転ディスク１４Ａとこのディスク１４Ａを押圧してその回転に摩擦トルクを与えるばね１４Ｂとそのばね１４Ｂによるディスク押圧力を調節する糸調子ナット１４Ｃとからなり、縫製動作に連係した針糸供給に伴うディスク１４Ａの回転により針糸１３に所定の張力を付与するものである。前記プリテンション機構１５は、二枚の調子皿１５Ａ，１５Ａとこれら調子皿１５Ａ，１５Ａを相互に押圧するばね１５Ｂとそのばね１５Ｂの押圧力を調節する摘み１５Ｃとからなり、二枚の調子皿１５Ａ，１５Ａ間に針糸１３を通すことにより針糸１３に予張力を付与するものである。【００１８】  前記補助針糸保持機構１６は、プリテンション機構１５と同様に、二枚の調子皿１６Ａ，１６Ａとこれら調子皿１６Ａ，１６Ａを相互に押圧するばね１６Ｂとそのばね１６Ｂの押圧力を調節する摘み１６Ｃとからなり、二枚の調子皿１６Ａ，１６Ａ間に針糸１３を通すことにより針糸１３を弾性的を挟み保持するものであって、この補助針糸保持機構１６及び針糸１３を前記プリテンション機構１５に案内するための糸掛けピン１９は、前記プリテンション機構１５をミシンアーム２に取付けるための糸道台２０に一体的に装着されている。【００１９】  また、前記糸道台２０には、前記プリテンション機構１５と補助針糸保持機構１６との間のほぼ中央部の支軸２３を中心として揺動可能な糸緩め板２４とこの糸緩め板２４を往復揺動させるエアシリンダ２５とからなり、糸緩め板２４をエアシリンダ２５を介して揺動させてその両端板部２４ａ，２４ｂを前記プリテンション機構１５の二枚の調子皿１５Ａ，１５Ａ及び補助針糸保持機構１６の二枚の調子皿１６Ａ，１６Ａ間に選択的に嵌入させることによって、補助針糸保持機構１６による針糸１３の弾性保持を解除する一方、プリテンション機構１５により針糸１３に予張力を付与する通常縫いの作用状態と、プリテンション機構１５による予張力付与を解除する一方、補助針糸保持機構１６によって針糸１３を弾性保持する糸端処理の作用状態とに切替可能な作用切替機構２６が装備されている。【００２０】  上記のように構成された千鳥縫いミシンにおいて、通常の千鳥縫いを行なう時は、作用切替機構２６の糸緩め板２４を支軸２３を中心に矢印ａ方向に揺動させて糸緩め板２４の一端板部２４ｂが補助針糸保持機構１６の二枚の調子皿１６Ａ，１６Ａ間に嵌入された通常縫いの作用状態に切り替えることにより、補助針糸保持機構１６による針糸１３の弾性保持を解除する一方、縫製布の厚さや布組織の柔軟性等に対応して調節される針糸調子器１５による針糸張力に応じてプリテンション機構１５による予張力を調節して用いる。これによって、常に適正な糸調子を保って縫製布の厚さや布組織の柔軟性等の変化にかかわらず、所定の千鳥縫い目を確実、良好に形成することができる。【００２１】  そして、一つの縫製布に対する縫いが終了して針８の上昇に伴い糸切り装置により縫製布の下方で切断された後、針８から下がっている針糸端部分１３ａを切断する糸端処理時には、作用切替機構２６の糸緩め板２４を支軸２３を中心に矢印ｂ方向に揺動させて糸緩め板２４の一端板部２４ａがプリテンション機構１５の二枚の調子皿１５Ａ，１５Ａ間に嵌入された糸端処理の作用状態に切り替えることにより、プリテンション機構１５による予張力付与を解除する一方、補助針糸保持機構１６により針糸１３を弾性保持させる。【００２２】  この状態で、ワイパー２１が作動し針８から下がっている針糸端部分１３ａは、図４に示すように、ワイパー２１で引っ掛けられて側方へ移動された後、補助針糸掴み２７との間に挟み保持され、続いて、次の縫製布Ｗが布押え１０の下にセットされて図５に示すように次の縫製布Ｗに対する縫いが開始される。そして、数針分の縫いが進行した図６の状態から更に縫いが進んだ時、ワイパー��１により側方に引っ掛け移動されてこのワイパー２１と補助針糸掴み２７との間に挟み保持されている針糸端部分１３ａが布押え１０の下面に固定されている針糸メス２２の刃縁に触れて図７に示すように、切断される。その切断後の針糸端部分１３ａは次のワイパー２１の作動時に補助針糸掴み２７との間の挟みが解除されて例えばエアの吸込み等によって袋内に回収され捨棄される。【００２３】  以上のような糸端処理時において、針糸供給経路中の針糸１３は補助針糸保持機構１６の二枚の調子皿１６Ａ，１６Ａ間に嵌入されて糸端処理に適した針糸保持力で弾性保持されているため、ワイパー２１による針糸１３の持ち出し量の安定化が図れて、針糸端部分１３ａがワイパー２１から抜け出して次の縫製布Ｗと布押え１０の間に残って鳥の巣状の品質の悪い縫い目を形成したり、針糸１３が過剰に繰り出されて切断される針糸端部分長さが非常に長くなって、捨棄される針糸ロスが多くなったりすることを防ぎ、これによって、通常縫い時における糸調子に関係なく、常に適正な糸端処理を行なうことができる。【００２４】  なお、上記実施の形態では、補助針糸保持機構１６及び作用切替機構２６を、プリテンション機構１５をミシンアーム２に取り付けるための糸道台２０に一体的に装備させたもので示したが、これら補助針糸保持機構１６及び作用切替機構２６を前記糸道台２０とは別の糸道台に装備してミシンアーム２に取付けてもよい。【００２５】  また、上記実施の形態では、針糸メス２２を布押え１０の下面に固定したが、布押え１０の上面に固定してもよい。【００２６】  また、上記実施の形態では、針糸端部分１３ａを引っ掛けるワイパー２１が、その引っ掛けた針糸端部分１３ａが針糸メス２２によって切断されるまで補助針糸掴み２７との間に保持し続けるもので説明したが、ワイパー２１によって引っ掛けられ側方に移動された針糸端部分をこのワイパー２１のみで切断されるまで保持するように構成してもよい。【００２７】  さらに、上記実施の形態では、作用切替機構２６における糸緩め板２４の両端板部２４ａ，２４ｂを一体形成したもので説明したが、それら両端板部２４ａ，２４ｂを別体にして二枚の調子皿１５Ａ，１５Ａ及び１６Ａ，１６Ａ間への嵌入深さを調整可能に構成することにより、予張力および針糸保持力の微調節も可能となる。
【図面の簡単な説明】
【００２８】
【図１】  本発明に係る千鳥縫いミシン全体を示す外観斜視図である。
【図２】  同上千鳥縫いミシンの要部の斜視図である。
【図３】  同上千鳥縫いミシンの要部の拡大斜視図である。
【図４】  同上千鳥縫いミシンによる針糸端部の処理状況のうちの初期作用状態を説明する要部の斜視図である。
【図５】  同上針糸端部の処理状況のうちの第二作用状態を説明する要部の斜視図である。
【図６】  同上針糸端部の処理状況のうちの第三作用状態を説明する要部の斜視図である。
【図７】  同上針糸端部の処理状況のうちの最終作用状態を説明する要部の斜視図である。
【符号の説明】
【００２９】１  千鳥縫いミシン
２  ミシンアーム
５  天秤機構
８  針
１０  布押え
１２  針板
１３  針糸
１３ａ  針糸端部分
１４  針糸調子器
１４Ａ  ディスク
１４Ｂ  ばね
１５  プリテンション機構
１５Ａ  調子皿
１５Ｂ  ばね
１６  補助針糸保持機構
１６Ａ  調子皿
１６Ｂ  ばね
２０  糸道台
２１  針糸掴み具（ワイパー）
２２  針糸メス
２６  作用切替機構
【図１】
2005192688.tif 000003
【図２】
2005192688.tif 000004
【図３】
2005192688.tif 000005
【図４】
2005192688.tif 000006
【図５】
2005192688.tif 000007
【図６】
2005192688.tif 000008
【図７】
2005192688.tif 000009